(57)【要約】【課題】記録動作、記録再生動作、再生動作、消去動作の禁止を、ホスト装置側が行うのではなく記録メディア自身が持つようにすることで、記録メディア自身のセキュリティを向上する。【解決手段】内部構成が記録デバイスと記録再生に応じて記録デバイスへの読み書きを制御するコントロール部からなり、記録メディアを記録再生禁止の設定に変更できるスイッチ１００と、前記変更を検出する状態検出手段１０１と、状態検出手段１０１からの指示により記録デバイス１１１に対する記録再生動作が変化するコントロール手段１０４とを備え、記録メディアに対する記録再生が自由に行えるフリー状態から記録再生が禁止となるロック状態への変更はスイッチ１００によって行い、ロック状態からフリー状態への変化は記録メディアに対する通常の入出力インターフェースを通した電気的な特殊コマンドによってのみ変更する。【選択図】図１
2005116121.tif 000002
【特許請求の範囲】
【請求項１】
データが読み書きされる記録デバイスと、
外部からの記録再生要求に応じて前記記録デバイスへの読み書きを制御するコントロール部と、
第１の状態と第２の状態のいずれかに切り換えが可能なスイッチ手段と、
前記スイッチ手段の状態を検出する状態検出手段とを備え、
前記状態検出手段が、前記スイッチ手段の第１の状態から第２の状態への変化を検出すると、前記コントロール部は外部からの前記記録デバイスへのアクセスを禁止し、
前記コントロール部が、外部からの特殊コマンドを受けると、外部からの前記記録デバイスへのアクセスを許可する、携帯型データ記録メディア。
【請求項２】
データが読み書きされる記録デバイスと、
外部からの記録再生要求に応じて前記記録デバイスへの読み書きを制御するコントロール部と、
第１の状態と第２の状態のいずれかに切り換えが可能なスイッチ手段と、
前記スイッチ手段の状態を検出する状態検出手段とを備え、
前記コントロール部が、前記スイッチ手段の状態が第１の状態から第２の状態へ変化したことを前記状態検出手段から通知されると、前記コントロール部は外部からの前記記録デバイスへのアクセスを禁止し、
前記コントロール部が、外部からの特殊コマンドを受けると、外部からの前記記録デバイスへのアクセスを許可する、携帯型データ記録メディア。
【請求項３】
前記第１の状態および前記第２の状態は少なくとも互いに物理的な状態が異なる、請求項１または請求項２記載の携帯型データ記録メディア。
【請求項４】
前記スイッチ手段は、前記携帯型データ記録メディアの筐体に配置されたハードスイッチである請求項３記載の携帯型データ記録メディア。
【請求項５】
前記スイッチ手段は、前記携帯型データ記録メディアの筐体に設けられた穴部と、前記穴部を塞ぐように設けられた移動または除去が可能な遮光手段とを備え、
前記状態検出手段は、前記穴部と対向する位置に設けられた光―電気変換素子であり、
前記第１の状態は前記遮光手段が前期穴部を塞ぐように設けられた状態であり、
前記第２の状態は前記遮光手段が移動または除去されて前期穴部が露出し、前記光―電気変換素子に穴部からの外光が照射された状態である請求項３記載の携帯型データ記録メディア。
【請求項６】
前記状態検出手段が、スイッチ手段の前記第１の状態から前記第２の状態への状態変化を1回検出したなら、前記スイッチ手段を元に戻しても状態変化の検出は行わず、前記コントロール部が外部からの特殊コマンドを受けたときに再度状態変化の検出を行うように構成した請求項４または請求項５記載の携帯型データ記録メディア。
【請求項７】
前記特殊コマンドは、前記携帯型データ記録メディアが前記第２の状態であるときに記録、再生、消去のアクセスをした際に前記携帯型データ記録メディアから求められるパスワードである請求項６記載の携帯型データ記録メディア。
【発明の詳細な説明】
【技術分野】
【０００１】
本発明は、ＰＣＭＣＩＡ準拠のメモリやＨＤＤのように内部構成がコントロールＬＳＩと記録デバイスからなる記録メディアに関し、より詳細には、記録動作、記録再生動作、再生動作、消去動作の禁止をホスト装置側ではなく記録メディア自身が持ち、セキュリティを向上した記録メディアに関するものである。
【背景技術】
【０００２】
従来のカートリッジに入った携帯型データ記録メディア、例えばフレキシブルディスク、光磁気ディスクや、カートリッジ入りＤＶＤ−ＲＡＭなどでは、カートリッジ筐体が持つ孔がどこにあいているかなどのハード的な形状の違いを装置側で検出して、記録禁止動作を行ったり、装填されているメディアの種類を検出したりしている（例えば、特許文献１参照。）。
【特許文献１】特開平５−１２８６１６号公報
【発明の開示】
【発明が解決しようとする課題】
【０００３】
しかしながら従来例では、記録メディアに対する記録禁止動作は装置側が行うため、メディア側で記録禁止設定を行なっていても、装置側の設計次第で強制書き込みが可能であるという問題点があった。また、記録メディア側での設定もメディア筐体に取り付けたスイッチで行なうことが多いため、所有者の意に反して使用者が容易に設定変更をすることが可能であると言う問題点があった。
【０００４】
本発明は上記従来技術に鑑み、記録メディアそのものが自身で記録動作、記録再生動作、再生動作、消去動作の禁止を行なうことができる携帯型データ記録メディアを提供することを目的とする。
【０００５】
また、記録メディアに対し記録動作禁止設定、記録再生動作禁止設定、再生動作禁止設定、消去動作禁止設定を施した者以外の使用者が容易にその設定を変更できないようにすることで、記録メディア自身の不正使用を防ぐとともに、盗難に対する抑止効果を持たせることを目的とする。
【０００６】
さらに、記録メディアに記録されたコンテンツを再生させない、消去させないことで保護することを目的とする。
【課題を解決するための手段】
【０００７】
上記課題を解決するために本発明は、データが読み書きされる記録デバイスと、外部からの記録再生要求に応じて前記記録デバイスへの読み書きを制御するコントロール部と、第１の状態と第２の状態のいずれかに切り換えが可能なスイッチ手段と、前記スイッチ手段の状態を検出する状態検出手段とを備え、前記状態検出手段が、前記スイッチ手段の第１の状態から第２の状態への変化を検出すると、前記コントロール部は外部からの前記記録デバイスへのアクセスを禁止し、前記コントロール部が、外部からの特殊コマンドを受けると、外部からの前記記録デバイスへのアクセスを許可するように構成したものである。
【発明の効果】
【０００８】
本発明は上記構成により、記録動作禁止設定、記録再生動作禁止設定、再生動作禁止設定、消去禁止設定を記録メディア内部で認知し、スイッチ手段を第１の状態とした通常使用においてはホスト装置側の動作に関わらず、記録メディアに施した設定どおりの機能を有するように動作することができる。
【０００９】
また、上記構成のもと、記録メディアに対する記録、再生、消去が自由に行える記録再生許可状態から記録、再生、消去が禁止となる記録再生禁止状態への変更はスイッチ手段の第１の状態から第２の状態への変化によって行い、記録再生禁止状態から記録再生許可状態への変化は記録メディアに対する通常の入出力インターフェースを通した電気的な特殊コマンドによってのみ行うことで、スイッチ手段を元に戻してもその設定を変更できないので、携帯型データ記録メディアの所有者以外が容易に使用することができないようにできる。
【発明を実施するための最良の形態】
【００１０】
以下、本発明の実施の形態について、図を用いて説明する。
【００１１】
（実施の形態１）
図１は、スイッチ手段がハードスイッチで構成された携帯型データ記録メディアのブロック図である。図１において、１００は機械的に二つの状態に切り換えが可能なハードスイッチである。１０１はハードスイッチの状態変化を検出する状態変化検出回路、１０２はハードスイッチの状態を状態変化検出回路１０１へ示す結線、１０３は状態変化検出回路１０１が電気的に示す状態信号、１０４は外部からの記録再生要求に応じて前記記録デバイスへの読み書きを制御するコントロール部である。１０５は記録メディアのホスト側装置とのインターフェース、１０６はホスト側装置とのデータのやり取りを示す信号、１０７はコントロール部１０４に含まれ実際にデータのやり取りを制御するコントロール回路、１０８は状態変化検出回路１０１とコントロール回路１０７を通常モードに戻すリセット回路、１０９はコントロール回路１０７に対するリセット信号、１１０は状態変化検出回路１０１に対するリセット信号、１１１はデータが記録再生される半導体メモリや光ディスク、ハードディスクなどの記録デバイスである。
【００１２】
以下、本実施の形態による携帯型データ記録メディアの動作について説明する。ここでは、状態変化により記録再生動作が禁止される場合で説明する。記録メディアにデータを記録する場合には、ハードスイッチ１００を第１の状態である記録再生許可側にセットしておく。記録メディアにデータを記録した後、記録再生動作を禁止にする場合、ハードスイッチ１００を第２の状態である記録再生禁止側へセットする。ハードスイッチ１００の記録再生許可側から記録再生禁止側への変化を状態変化検出回路１０１が検出すると、コントロール回路１０７へ状態信号１０３を持って知らせる。コントロール回路１０７は内部状態を記録再生禁止状態にすると共に、記録再生禁止の状態信号１０３に従い、外部からホスト側インターフェース１０５を通して来るコマンドやデータ信号１０６に対して記録再生動作を拒否し、記録デバイス１１１へのアクセスを禁止する。また、記録再生が禁止されている旨の応答コマンドをデータ信号１０６を持ってホスト側インターフェース１０５を通してホスト側装置に知らせる。ただこの動作では、記録再生動作を禁止に設定した人以外でもハードスイッチ１００を変更することで動作を変更可能である。
【００１３】
そこで本発明では、図３に示すように記録メディアの動作状態を移行させる。この移行時の回路の動作の一例について説明する。状態変化検出回路１０１は、スイッチ１００の状態変化を記録再生禁止側へセットした時の１度だけ検出し、その後の変化は反映しないように動作する。これによって、記録再生禁止設定されたスイッチ１００を元に戻しても記録メディアの設定を変更できなくなる。ただ、それだけではその後誰も記録メディアを使うことができなくなるので、内部状態が記録再生禁止状態となって記録、再生、消去の動作が禁止設定された記録メディアを再度使用する場合には以下のようにする。すなわち、外部から記録メディアにアクセスしたときに、コントロール部１０４がホスト側装置に対してパスワードを要求するので、ホスト側装置からホスト側インターフェース１０５を通して特殊コマンドをデータ信号１０６として送る。それが認証されればリセット回路１０７が状態変化検出回路１０１を初期化して内部状態を記録再生許可状態とすると共に、外部からの記録デバイス１１１へのアクセスを許可し、その結果再び記録再生をすることが可能となる。
【００１４】
また図３の動作移行を別の回路動作で説明する。状態変化検出回路１０１は単にハードスイッチ１００の状態変化を検出するように動作する。そして、コントロール回路１０４が状態変化検出回路１０１によって検出されたハードスイッチの状態の変化を１度だけ有効とするように動作すれば、上記と同じようにハードスイッチ１００を記録再生禁止にセットして記録再生禁止設定された携帯型データ記録メディアはその設定を変更できなくなる。この設定の解除の方法は、上記と同じように禁止設定された記録メディアを再度使用しようとしてアクセスしたときに、コントロール部１０４がパスワードを要求し、ホスト側装置からホスト側インターフェース１０５を通して特殊コマンドをデータ信号１０６として送り、それが認証されればリセット回路１０７がコントロール回路１０４を初期化することで行うことができる。
【００１５】
このように携帯型データ記録メディア自身が、ホスト側装置に対して記録再生禁止状態を告げるだけでなく、認証による解除動作を行なわない限り、実際に動作しないようにすることで、不正な使い方を避けることが可能となり、コンテンツ保護もできる。また、設定を容易に変更できないようにできるので、盗難防止時にも利用できる。
【００１６】
なお、記録のみの禁止、再生のみの禁止、消去のみの禁止、前記３つの禁止設定を２つ組み合わせたり、３つ組み合わせてもよい。
【００１７】
（実施の形態２）
図２は、スイッチ手段が遮光手段としての遮光シールと穴部としてのピンホールで構成された携帯型データ記録メディアのブロック図である。図２において、図１と同じものについては説明を省略する。２０１は記録メディアの筐体に設けられたピンホール、２００はピンホール２０１を塞ぐように貼られた、移動または除去が可能な遮光シールである。２０２は光信号を電気信号に変換する光−電気変換素子であり、ちょうどピンホール２０１と対向する位置に設置される。２０３は光−電気変換素子２０２で構成される状態変化検出回路である。
【００１８】
以下、本実施の形態による携帯型データ記録メディアの特徴的動作について説明する。特徴的な部分は、物理的な状態変化を記録メディアの筐体に設けたピンホールから差し込む外光を持って行うところである。通常は、遮光シール２００がピンホール２０１を覆い隠すように記録メディア筐体に貼り付けられており、光−電気変換素子２０２は動作しない。遮光シール２００が剥がし取られるとピンホールが露出し、光−電気変換素子２０２にピンホール２０１を通して外光が照射される。光−電気変換素子２０２はこの光を電気信号に変換し、状態変化検出回路２０３が記録再生禁止を示す状態信号１０３を出力する。状態信号１０３に応じたその他の回路動作は実施の形態１と同じである。
【００１９】
このように携帯型データ記録メディア自身が、ホスト側装置に対して記録再生禁止状態を告げるだけでなく、認証による解除動作を行なわない限り、実際に動作しないようにすることで、不正な使い方を避けることが可能となり、コンテンツの保護もできる。また、設定を容易に変更しないようにできるので、盗難防止時にも利用できる。
【００２０】
なお、記録のみの禁止、再生のみの禁止、消去のみの禁止、前記３つの禁止設定を２つ組み合わせたり、３つ組み合わせてもよい。
【００２１】
本実施の形態においては付加的な効果が２点ある。１点目として、記録再生禁止設定をせずに記録メディアが盗難にあった場合、遮光シール２００が明らかに所有者を示すような特徴的なものであれば、たとえば会社名や個人名入りである場合、盗んだ犯人はそのシールを剥がそうとするだろうと考えると、その動作によりその記録メディアは記録、再生、消去などの動作ができなくなり、記録してあったコンテンツの保護も可能となる。
【００２２】
もう１点は、記録メディアの所有者がデータを記録後、セキュリティを考え、遮光シール２００を剥がし、記録再生禁止設定を施したとしても、記録メディア単体を見ただけでは設定がなされていることを知ることができない。記録、再生ができる装置に入れ、アクセスしてもパスワードを要求され、記録メディアに対しては何もできずコンテンツの保護が可能となる。
【００２３】
なお、スイッチ手段としては、実施の形態１、２に記載したものに限らず、切り換えが可能な２つの状態が互いに異なる物理的状態を示し、その変化を検出できるものであればどのようなものでもよい。
【産業上の利用可能性】
【００２４】
本発明にかかる携帯型データ記録メディアは、ホスト装置側の動作に関わらず、記録メディア自身に設定した記録動作禁止設定、記録再生動作禁止設定、再生動作禁止設定、消去禁止設定どおりの機能を有するようにすることができ、且つ、一度設定した上記禁止設定を容易に変更できない構成であるので、記録メディア自身のセキュリティを高める技術として有用である。
【図面の簡単な説明】
【００２５】
【図１】本発明の実施の形態１の構成を示すブロック図
【図２】本発明の実施の形態２の構成を示すブロック図
【図３】記録メディアの動作状態の移行を示す模式図
【符号の説明】
【００２６】
１００    ハードスイッチ
１０１  状態変化検出回路
１０２  ハードスイッチの状態変化を示す結線
１０３  状態信号
１０４  コントロール部
１０５  ホスト側装置とのインターフェース
１０６  ホスト側装置とインターフェースを化してやり取りするデータ信号
１０７  コントロール回路
１０８  リセット回路
１０９  コントロール回路に対するリセット信号
１１０  状態変化検出回路に対するリセット信号
１１１  記録デバイス
２００  遮光シール
２０１  ピンホール
２０２  光−電気変換素子
２０３  状態変化検出回路
【図１】
2005116121.tif 000003
【図２】
2005116121.tif 000004
【図３】
2005116121.tif 000005